(57)【要約】【課題】オプション構成に応じた設定情報のリストアを可能とする。【解決手段】画像処理装置１０は、画像処理装置１０の設定情報を記憶する不揮発メモリを備える。設定情報のバックアップ時には制御部において不揮発メモリに記憶された設定情報を、前記バックアップ元の画像処理装置のオプション構成に依存するものと依存しないものとに分類し、この分類された設定情報をそれぞれＰＣ３０又は外部記憶装置４０に記憶させ、バックアップを行う。また、画像処理装置１０は前記分類された設定情報が記憶されたＰＣ３０又は外部記憶装置４０から当該設定情報を読み出すＩ／Ｆを備え、この読み出された設定情報のリストアを行う。リストア時、制御部はオプション構成に依存する設定情報については、バックアップ元とリストア先の画像処理装置のオプション構成が同一である場合に不揮発メモリに記憶させ、リストアを行う。【選択図】図１
2008109574.tif 000002
【特許請求の範囲】
【請求項１】
オプション機器を接続可能な画像処理装置において、
前記画像処理装置の設定情報を記憶する内部記憶手段と、
前記内部記憶手段に記憶された設定情報を、前記画像処理装置のオプション構成に依存するものと依存しないものとに分類し、この分類された設定情報をそれぞれ外部記憶手段に記憶させ、バックアップを行うバックアップ制御手段と、
を備えることを特徴とする画像処理装置。
【請求項２】
オプション機器を接続可能な画像処理装置において、
前記画像処理装置の設定情報を記憶するための内部記憶手段と、
バックアップ元の画像処理装置においてバックアップされた設定情報を前記内部記憶手段にリストアする際に、当該バックアップされた設定情報であって、そのバックアップ元の画像処理装置のオプション構成に依存する設定情報と依存しない設定情報とに予め分類された設定情報を記憶する外部記憶手段から、当該設定情報を読み出す読出手段と、
前記読み出されたオプション構成に依存する設定情報については、バックアップ元とリストア先の画像処理装置のオプション構成が同一である場合に前記内部記憶手段に記憶させ、リストアを行うリストア制御手段と、
を備えることを特徴とする画像処理装置。
【請求項３】
前記外部記憶手段には、オプション構成に依存する設定情報についての初期設定情報が記憶されており、
バックアップ元とリストア先の画像処理装置のオプション構成が同一ではない場合、
前記読出手段は、前記外部記憶手段から初期設定情報を読み出し、
前記リストア制御手段は、前記初期設定情報を前記内部記憶手段に記憶させることを特徴とする請求項２に記載の画像処理装置。
【請求項４】
前記リストア制御手段は、バックアップ元とリストア先の画像処理装置の機種が対応する場合、前記オプション構成に依存しない設定情報を前記内部記憶手段に記憶させることを特徴とする請求項２又は３に記載の画像処理装置。
【請求項５】
設定情報のバックアップを行う画像処理装置と、当該バックアップされた設定情報のリストアを行う画像処理装置と、外部記憶手段とを含むメンテナンスシステムにおいて、
前記設定情報のバックアップ元の画像処理装置は、
前記バックアップ元の画像処理装置の設定情報を記憶する内部記憶手段と、
前記内部記憶手段に記憶された設定情報を、前記バックアップ元の画像処理装置のオプション構成に依存するものと依存しないものとに分類し、この分類された設定情報をそれぞれ前記外部記憶手段に記憶させ、バックアップを行うバックアップ制御手段と、を備え、
前記設定情報のリストア先の画像処理装置は、
前記リストア先の画像処理装置の設定情報を記憶するための内部記憶手段と、
前記外部記憶手段から前記オプション構成に依存する設定情報と依存しない設定情報とを読み出す読出手段と、
前記読み出されたオプション構成に依存する設定情報については、バックアップ元とリストア先の画像処理装置のオプション構成が同一である場合に前記内部記憶手段に記憶させ、リストアを行うリストア制御手段と、
を備えることを特徴とするメンテナンスシステム。
【発明の詳細な説明】
【技術分野】
【０００１】
本発明は、画像処理により出力画像を生成し、出力する画像処理装置及び当該画像処理装置のメンテナンスに係るメンテナンスシステムに関する。
【背景技術】
【０００２】
画像処理装置を新規に設置する場合、或いは異常動作後に画像処理装置を復帰させる場合等には、画像処理装置のもとの設定（例えば、レジスト値や印刷枚数のカウンタ値等）を反映するため、その設定情報を画像処理装置に書き込むリストア処理を行うことがある。これは、画像処理装置内の不揮発メモリに記憶されている設定情報を一旦ノート型のＰＣ（パーソナルコンピュータ）等に転送してバックアップしておき、このバックアップされた設定情報をＰＣからリストア先の画像処理装置に転送するものである（例えば、特許文献１参照）。
【０００３】
このようなリストア処理により、逐一設定情報を手作業で入力するといった煩雑さを回避することができる。
【特許文献１】特開２００６−１０９３４６号公報
【発明の開示】
【発明が解決しようとする課題】
【０００４】
画像処理装置には、それ単体のみならず、ＡＤＦ（自動原稿送り機構）やフィニッシャ、大容量の給紙ユニット等のオプション機器が接続されることがある。画像処理装置では、これらオプション機器の接続構成（以下、オプション構成という）に応じた設定情報を持つようになるため、オプション構成が異なると各画像処理装置における設定情報も一部異なるものとなる。すなわち、オプション構成によって変化する設定情報と変化しない設定情報とが混在することとなる。
【０００５】
しかしながら、上記特許文献１に記載の方法ではオプション構成によって変化する設定情報については考慮されておらず、このような設定情報についてはやはり手作業で入力しなければならない。
【０００６】
本発明の課題は、オプション構成に応じた設定情報のリストアを可能とすることである。
【課題を解決するための手段】
【０００７】
請求項１に記載の発明は、
オプション機器を接続可能な画像処理装置において、
前記画像処理装置の設定情報を記憶する内部記憶手段と、
前記内部記憶手段に記憶された設定情報を、前記画像処理装置のオプション構成に依存するものと依存しないものとに分類し、この分類された設定情報をそれぞれ外部記憶手段に記憶させ、バックアップを行うバックアップ制御手段と、
を備えることを特徴とする。
【０００８】
請求項２に記載の発明は、
オプション機器を接続可能な画像処理装置において、
前記画像処理装置の設定情報を記憶するための内部記憶手段と、
バックアップ元の画像処理装置においてバックアップされた設定情報を前記内部記憶手段にリストアする際に、当該バックアップされた設定情報であって、そのバックアップ元の画像処理装置のオプション構成に依存する設定情報と依存しない設定情報とに予め分類された設定情報を記憶する外部記憶手段から、当該設定情報を読み出す読出手段と、
前記読み出されたオプション構成に依存する設定情報については、バックアップ元とリストア先の画像処理装置のオプション構成が同一である場合に前記内部記憶手段に記憶させ、リストアを行うリストア制御手段と、
を備えることを特徴とする。
【０００９】
請求項３に記載の発明は、請求項２に記載の画像処理装置において、
前記外部記憶手段には、オプション構成に依存する設定情報についての初期設定情報が記憶されており、
バックアップ元とリストア先の画像処理装置のオプション構成が同一ではない場合、
前記読出手段は、前記外部記憶手段から初期設定情報を読み出し、
前記リストア制御手段は、前記初期設定情報を前記内部記憶手段に記憶させることを特徴とする。
【００１０】
請求項４に記載の発明は、請求項２又は３に記載の画像処理装置において、
前記リストア制御手段は、バックアップ元とリストア先の画像処理装置の機種が対応する場合、前記オプション構成に依存しない設定情報を前記内部記憶手段に記憶させることを特徴とする。
【００１１】
請求項５に記載の発明は、
設定情報のバックアップを行う画像処理装置と、当該バックアップされた設定情報のリストアを行う画像処理装置と、外部記憶手段とを含むメンテナンスシステムにおいて、
前記設定情報のバックアップ元の画像処理装置は、
前記バックアップ元の画像処理装置の設定情報を記憶する内部記憶手段と、
前記内部記憶手段に記憶された設定情報を、前記バックアップ元の画像処理装置のオプション構成に依存するものと依存しないものとに分類し、この分類された設定情報をそれぞれ前記外部記憶手段に記憶させ、バックアップを行うバックアップ制御手段と、を備え、
前記設定情報のリストア先の画像処理装置は、
前記リストア先の画像処理装置の設定情報を記憶するための内部記憶手段と、
前記外部記憶手段から前記オプション構成に依存する設定情報と依存しない設定情報とを読み出す読出手段と、
前記読み出されたオプション構成に依存する設定情報については、バックアップ元とリストア先の画像処理装置のオプション構成が同一である場合に前記内部記憶手段に記憶させ、リストアを行うリストア制御手段と、
を備えることを特徴とする。
【発明の効果】
【００１２】
請求項１に記載の発明によれば、オプション構成に依存する設定情報とオプション構成に依存しない設定情報とに分けてそれぞれ個別にリストアを行うことが可能となる。リストア先の画像処理装置のオプション構成がバックアップ元の画像処理装置と異なる場合には、オプション構成に依存する設定情報については内容が適しない場合がある。よって、このような場合にはオプション構成に依存しない設定情報のみリストアし、依存する設定情報についてはリストアを行わないようにする等、最適な対応をとることが可能となる。従って、オプション構成に応じたリストアが可能となる。
【００１３】
請求項２に記載の発明によれば、オプション構成に依存する設定情報と依存しない設定情報とを個別にリストアすることができる。オプション構成に依存する設定情報についてはバックアップ元とリストア先の画像処理装置のオプション構成が同一である場合のみリストアを行うので、オプション構成が一致せず、内容が不適切な設定情報をリストアすることを防ぐことができる。また、オプション構成に依存しない設定情報のみのリストアが可能であるので、当該設定情報についてはリストアを行うことにより、ユーザが全ての設定情報を手作業で入力するといった煩雑さを解消することができる。従って、オプション構成に応じたリストアが可能となる。
【００１４】
請求項３に記載の発明によれば、バックアップ元とリストア先の画像処理装置のオプション構成が同一でない場合、オプション構成に依存する設定情報については初期設定情報をリストアすることができる。これにより、オプション構成に依存する設定情報についても、最初からユーザが手作業で入力する必要がなく、作業に係る労力を最小限に抑えることができる。
【００１５】
請求項４に記載の発明によれば、オプション構成に依存しない設定情報についてはバックアップ元とリストア先の画像処理装置の機種が対応する場合にリストアを行うことができる。機種が対応しない場合、オプション構成に依存しない設定情報の内容も対応しない場合がある。よって、このような場合には内容が不適切な設定情報をリストアすることを防止することができる。
【００１６】
請求項５に記載の発明によれば、オプション構成に依存する設定情報と依存しない設定情報とを個別にリストアすることができる。オプション構成に依存する設定情報についてはバックアップ元とリストア先の画像処理装置のオプション構成が同一である場合のみリストアを行うので、オプション構成が一致せず、内容が不適切な設定情報をリストアすることを防ぐことができる。また、オプション構成に依存しない設定情報のみのリストアが可能であるので、当該設定情報についてはリストアを行うことにより、ユーザが全ての設定情報を手作業で入力するといった煩雑さを解消することができる。従って、オプション構成に応じたリストアが可能となる。
【発明を実施するための最良の形態】
【００１７】
まず、構成を説明する。
図１に、本実施形態におけるメンテナンスシステム１００のシステム構成を示す。
図１に示すように、メンテナンスシステム１００は、画像処理装置１０、ＰＣ３０、外部記憶装置４０等から構成されている。メンテナンスシステム１００は、ＰＣ３０又は外部記憶装置４０を用いて画像処理装置１０のメンテナンスを行うシステムである。ＰＣ３０はネットワークを介して画像処理装置１０に接続可能であり、外部記憶装置４０はＵＳＢ等により画像処理装置１０に接続可能である。
【００１８】
画像処理装置１０は、入力画像に画像処理を施して出力画像を生成し、当該出力画像の印刷出力を行うものである。画像処理装置１０は、ＡＤＦ２０ａ、フィニッシャ２０ｂ、給紙ユニット２０ｃの各種オプション機器（以下、オプション機器２０ａ〜２０ｃと総称する）が接続可能であり、用途に応じてこれらオプション機器２０ａ〜２０ｃの追加又は削除が可能である。
【００１９】
図２に、画像処理装置１０の内部構成を示す。
図２に示すように、画像処理装置１０は、本体部１１、画像読取部１２、操作部１３、表示部１４、タッチパネル１５、プリンタ部１６、通信部１７を備えて構成されている。
また、本体部１１は、制御部１１１、不揮発メモリ１１２、画像処理部１３、ＤＲＡＭ（Dynamic Random Access Memory）制御部１１４、ＤＲＡＭ１１５、Ｉ／Ｆ１１６、１１７を備えて構成されている。
【００２０】
制御部１１１は、ＣＰＵ（Central Processing Unit）、ＲＡＭ等から構成されている。制御部１１１は、不揮発メモリ１１２に記憶されている制御プログラムを読み出してＲＡＭに展開し、当該制御プログラムとの協働により各部の動作を集中制御する。或いは、各種演算を行う。
【００２１】
不揮発メモリ１１２は、制御プログラムやプログラムの実行に必要なパラメータ等を記憶する内部記憶手段であり、ＲＯＭ（Read Only Memory）やハードディスク等が適用可能である。
また、不揮発メモリ１１２は、画像処理装置１０の各種設定に係る設定情報を記憶している。図３は、その設定情報Ｆの一例を示す図である。
設定情報Ｆには、本体固有情報Ｆ１、基本情報Ｆ２、調整情報Ｆ３、オプション構成情報Ｆ４が含まれている。
【００２２】
本体固有情報Ｆ１は、画像処理装置１０の機種名、ネットワークアドレス等、各画像処理装置１０に固有の基本設定に係る設定情報である。本体固有情報Ｆ１は画像処理装置１０の出荷時や設置時に予め定められるものであり、後にユーザが自由に変更できるものではない。
基本情報Ｆ２は、色変換テーブルの他、輝度補正用の補正テーブル等、各画像処理装置１０による印刷出力に不可欠な設定情報である。基本情報Ｆ２には、ユーザが自由に設定できる設定情報も含まれる。
【００２３】
調整情報Ｆ３は、ユーザにより調整された設定に係る設定情報である。例えば、印刷動作に係るレジスト値の他、フィニッシャ２０ｂが接続された場合にはステイプラー等の後処理の有無についての設定情報、給紙ユニット２０ｃが接続された場合にはどのトレイにどのサイズ、用紙種の用紙が収容されているか等の設定情報が含まれる。
オプション構成情報Ｆ４は、オプション機器２０ａ〜２０ｃの接続状況を示す設定情報である。オプション構成情報Ｆ４は各オプション機器２０ａ〜２０ｃについて、接続されていればＯＮ、接続されていなければＯＦＦを示すフラグが設定される。
【００２４】
画像処理部１１３は、画像読取部１２から入力される読取画像に対し、各種画像処理を施して出力用の出力画像を生成する。画像処理としては、色変換処理、平均化処理、γ補正処理、解像度変換処理、スクリーン処理等が含まれる。生成した出力画像はＤＲＡＭ制御部１１４に出力する。
【００２５】
ＤＲＡＭ制御部１１４は、ＤＲＡＭ１１５に記憶された出力画像の入出力を制御する。
ＤＲＡＭ１１５は出力画像を記憶する画像メモリである。
【００２６】
Ｉ／Ｆ１１６は、オプション機器２０ａ〜２０ｃと制御部１１１間で制御情報等をやりとりするためのインターフェイスである。
Ｉ／Ｆ１１７は、外部記憶装置４０内に記憶されているデータのやりとり（読み出し又は書き込み）を行うインターフェイスである。
【００２７】
画像読取部１２は、光源、ＣＣＤ（Charge Coupled Device）、Ａ／Ｄ変換器等を備え、光源から原稿へ照明走査した光の反射光を結像してＣＣＤにより光電変換することにより原稿画像を読み取り、読み取った画像信号にＡ／Ｄ変換器によりデジタル画像データに変換する。ここで、画像は図形や写真等のイメージに限らず、文字や記号等のキャラクタイメージ等も含む。なお、画像処理装置１０にＡＤＦ２０ａが接続されている場合、ＡＤＦ２０ａによって画像読取部１２へ原稿が自動搬送されるので、画像読取部１２はこの搬送された原稿の読み取りを行う。
【００２８】
操作部１３は、プリント開始を指示するためのスタートキーや数字キー等の各種機能キーを備え、これら機能キーやタッチパネル１５が操作されると、対応する操作信号を制御部１１１に出力する。
【００２９】
表示部１４は、タッチパネル１５と一体に形成されたＬＣＤ（Liquid Crystal Display）を備え、このＬＣＤ上にプリント操作するための各種操作画面を表示させる。
【００３０】
プリンタ部１６は、本体部１１の画像処理部１１３から入力される出力画像に基づいて電子写真方式により印刷出力を行う。電子写真方式では、レーザ光源から感光ドラム上にレーザ光を照射して露光を行い、静電潜像を形成する。これに現像部がトナーを吹き付けてできたトナー像を記録用紙に転写する。なお、画像処理装置１０に給紙ユニット２０ｃが接続されている場合には、当該給紙ユニット２０ｃから記録用紙の給紙を行う。トナー像が転写された記録用紙は定着処理が施された後、外部の排出トレイに出力される。このとき、画像処理装置１０にフィニッシャ２０ａが接続されている場合には、トナー像が転写された記録用紙はフィニッシャ２０ａに出力される。
【００３１】
通信部１７は、ネットワークインターフェイスカード等の通信用のインターフェイスを備え、ＰＣ３０等の外部装置とネットワークを介して通信を行う。
【００３２】
次に、ＰＣ３０について説明する。
ＰＣ３０は、画像処理装置１０の設定情報Ｆのバックアップを行う際に、当該設定情報Ｆを記憶する外部記憶手段として機能するものである。ＰＣ３０は、図４に示すように制御部３１、操作部３２、表示部３３、記憶部３４、通信部３５を備えて構成されている。
【００３３】
制御部３１は、ＣＰＵ、ＲＡＭ等から構成されている。制御部３１は、記憶部３４から制御プログラムを読み出し、当該制御プログラムとの協働により、各部の集中制御及び各種演算を行う。
【００３４】
操作部３２は、キーボードやマウス等を備えて構成され、これらの操作に応じた操作信号を生成して制御部３１に出力する。
表示部３３は、ＬＣＤ等を備え、制御部３１の表示制御に従って、各種操作画面を表示する。
【００３５】
記憶部３４は、ハードディスク等であり、各種制御プログラムやプログラムの実行に必要なパラメータ等を記憶している。画像処理装置１０からバックアップされた設定情報Ｆはこの記憶部３４に記憶される。また、記憶部３４において画像処理装置１０のオプション構成に依存しない設定情報ＦＢについての初期設定に係る設定情報（以下、初期設定情報という）を記憶する構成としてもよい。初期設定情報は、何れの画像処理装置１０においても共通に設定される初期の設定情報である。図２の調整情報Ｆ３の例で説明すると、トレイ１にＡ３普通紙、トレイ２にＡ４普通紙、というように実際にトレイに収納される用紙の属性に関係なく、各トレイについて初期設定として定められたものをいう。
通信部３５は、ネットワークインターフェイスカード等の通信用インターフェイスを備え、画像処理装置１０等の外部装置とネットワークを介して通信を行う。
【００３６】
次に、外部記憶装置４０について説明する。
外部記憶装置４０は、画像処理装置１０の設定情報Ｆのバックアップを行う際に、当該設定情報Ｆを記憶する外部記憶手段である。外部記憶装置４０としては、例えばＣＤ（Compact Disk）、ＤＶＤ（Digital Versatile Disk）、ハードディスク、ＵＳＢメモリ等を用いることができる。なお、外部記憶装置４０において画像処理装置１０のオプション構成に依存しない設定情報ＦＢについての初期設定情報を記憶する構成としてもよい点はＰＣ３０と同様である。
【００３７】
次に、上記メンテナンスシステム１００の動作について説明する。
図５は、画像処理装置１０において行われる設定情報Ｆのバックアップ処理を示すフローチャートである。
図５に示すバックアップ処理では、まず制御部１１１において不揮発メモリ１１２に記憶されている設定情報Ｆをオプション構成に依存するものと依存しないものに分類する（ステップＳ１）。分類は、オプション構成が変化すると情報の内容も変化する場合にはオプション構成に依存する設定情報と判断し、オプション構成が変化しても情報の内容に変化がない場合にはオプション構成に依存しない設定情報と判断して行うこととする。
【００３８】
図２に示す設定情報Ｆの場合、図６に示すように本体固有情報Ｆ１及び基本情報Ｆ２をオプション構成に依存しない設定情報ＦＡに、調整情報Ｆ３及びオプション構成情報Ｆ４をオプション構成に依存する設定情報ＦＢに分類する。
制御部１１１は、分類した設定情報ＦＡ、ＦＢを制御部１１１内のＲＡＭに一時的に保存する（ステップＳ２）。
【００３９】
次いで、制御部１１１は図７（ａ）に示すような選択画面ｄ１を表示部１４上に表示させる。図７（ａ）は表示部１４のディスプレイに表示された選択画面ｄ１と操作部１３の操作キーの外観を示す図である。選択画面ｄ１は、設定情報ＦＡ、ＦＢの保存先を選択操作するための操作画面である。選択画面ｄ１では設定情報ＦＡ、ＦＢの保存先として「外部メディア」と「ネットワーク」のアイコンｄ１１、ｄ１２が選択的に表示されている。なお、「外部メディア」のアイコンｄ１１は保存先が外部記憶装置４０であることを指し、「ネットワーク」のアイコンｄ１２は保存先がＰＣ３０であることを指している。
【００４０】
そして、設定画面ｄ１において操作者により何れかの保存先が選択されると（ステップＳ３）、制御部１１１ではＲＡＭ内から設定情報ＦＡ、ＦＢを読み出し、この読み出した設定情報ＦＡ、ＦＢを、選択された保存先に転送する（ステップＳ４）。具体的には、選択された保存先が外部記憶装置４０である場合、Ｉ／Ｆ１１７を介して設定情報ＦＡ、ＦＢを外部記憶装置４０に転送して当該設定情報ＦＡ、ＦＢの書込処理を行う。一方、選択された保存先がＰＣ３０である場合、通信部１７を介してＰＣ３０に設定情報ＦＡ、ＦＢを送信する。ＰＣ３０では、設定情報ＦＡ、ＦＢを記憶部３４に保存する。
なお、転送の間、制御部１１１の表示制御によって、図７（ｂ）に示す通知画面ｄ２が表示部１４上に表示される。通知画面ｄ２はバックアップ中である旨を示す通知メッセージを表示するものである。
【００４１】
このようにしてＰＣ３０又は外部記憶装置４０にバックアップされた設定情報ＦＡ、ＦＢは、バックアップを行った元の画像処理装置１０又は他の画像処理装置１０においてリストアすることによりメンテナンスに利用することが可能である。リストアを行う場面としては様々なものが考えられる。例えば、定期的にバックアップ処理を実行して画像処理装置１０に係る設定情報Ｆをバックアップしておき、異常発生時に画像処理装置１０を復帰させる場合に設定情報Ｆのリストア処理を行う場合である。また、新規に画像処理装置１０を導入する際に、既存の画像処理装置１０の設定情報Ｆを新規の画像処理装置１０に反映させるため、バックアップ処理により既存の画像処理装置１０の設定情報Ｆをバックアップしておき、リストア処理により新規の画像処理装置１０においてバックアップした設定情報Ｆの書き込みを行う場合も考えられる。すなわち、設定情報ＦＡ、ＦＢをリストア対象の画像処理装置１０の不揮発メモリ１１２に書き込む（リストア）ことにより、画像処理装置１０の設定を容易に行うことができる。
【００４２】
図８を参照して、設定情報ＦＡ、ＦＢのリストア時に、画像処理装置１０において実行されるリストア処理を説明する。リストア処理は、ＰＣ３０又は外部記憶装置４０において保存された設定情報ＦＡ、ＦＢを、画像処理装置１０の不揮発メモリ１１２に書き込む処理である。
【００４３】
まず、画像処理装置１０では制御部１１１の表示制御により、図９（ａ）に示すような操作画面ｄ３を表示部１３上に表示する。図９（ａ）に示す操作画面ｄ３では、書込対象の設定情報ＦＡ、ＦＢの読出元として「外部メディア」と「ネットワーク」のアイコンｄ１１、ｄ１２が選択的に表示されている。なお、選択画面ｄ１と同様、「外部メディア」のアイコンｄ１１は読出元が外部記憶装置４０であることを指し、「ネットワーク」のアイコンｄ１２は読出元がＰＣ３０であることを指している。
【００４４】
そして、操作部１３を介して操作者によって何れかの読出元が選択操作されると、制御部１１１は当該選択された読出元から設定情報ＦＡ、ＦＢの読出制御を行う。すなわち、読出元として外部記憶装置４０が選択された場合にはＩ／Ｆ１１７を介して設定情報ＦＡ、ＦＢを読み出し、ＰＣ３０が選択された場合には通信部１７を介して設定情報ＦＡ、ＦＢを読み出す。制御部１１１は読み出した設定情報ＦＡ、ＦＢを制御部１１１内のＲＡＭに一時記憶させる（ステップＳ１１）。
【００４５】
次いで、制御部１１１はＲＡＭ内の設定情報ＦＡのうち、本体固有情報Ｆ１を参照し、設定情報ＦＡ、ＦＢが画像処理装置１０の機種に対応するものであるかどうかを判断する（ステップＳ１２）。具体的には、本体固有情報Ｆ１の本体機種名の情報等を参照し、同一機種であるか、或いは設定情報ＦＡ、ＦＢを共有できる機種として予め定められた機種である場合に、設定情報ＦＡ、ＦＢが画像処理装置１０の機種に対応するものであると判断する。
【００４６】
設定情報ＦＡ、ＦＢが画像処理装置１０の機種に対応しないものであると判断した場合（ステップＳ１２；Ｙ）、制御部１１１は設定情報ＦＡ、ＦＢのリストアは行わずに本処理を終了する。一方、設定情報ＦＡ、ＦＢが画像処理装置１０の機種に対応するものであると判断した場合（ステップＳ１２；Ｙ）、制御部１１１はＲＡＭからオプション構成に依存しない設定情報ＦＡのみを読み出し、不揮発メモリ１１２に記憶させる（ステップＳ１３）。
【００４７】
次に、制御部１１１はＲＡＭ内の設定情報ＦＢのうち、オプション構成情報Ｆ４を参照し、画像処理装置１０のオプション構成が、設定情報ＦＡ、ＦＢのバックアップが行われた画像処理装置１０のオプション構成と同一であるか否かを判断する（ステップＳ１４）。オプション構成が同一である場合（ステップＳ１４；Ｙ）、制御部１１１はＲＡＭからオプション構成に依存する設定情報ＦＢを読み出して、不揮発メモリ１１２に書き込み（ステップＳ１５）、本処理を終了する。
【００４８】
一方、オプション構成が同一ではない場合（ステップＳ１４；Ｎ）、制御部１１１の表示制御に従って表示部１３では図９（ｂ）に示す操作画面ｄ４を表示する。操作画面ｄ４では、オプション構成が変化したため、オプション構成に依存する設定情報ＦＢについては出荷時の設定情報、つまり初期設定に係る初期設定情報を選択するよう通知するメッセージが表示されている。ここで、操作者によりｓｔａｒｔボタンｄ４１が操作されると、制御部１１１は外部記憶装置４０又はＰＣ３０から、オプション構成に依存する設定情報ＦＢについての初期設定情報を読み出す（ステップＳ１６）。
【００４９】
外部記憶装置４０又はＰＣ３０において初期設定情報が記憶されており、初期設定情報を取得できた場合（ステップＳ１７；Ｙ）、制御部１１１は当該初期設定情報を不揮発メモリ１１２に書き込み、保存させる（ステップＳ１５）。一方、外部記憶装置４０又はＰＣ３０において初期設定情報が記憶されておらず、初期設定情報を取得できなかった場合（ステップＳ１７；Ｎ）、オプション構成に依存する設定情報ＦＢについては不揮発メモリ１１２への書き込みを行わず、本処理を終了する。この場合、操作者は画像処理装置１０のオプション構成に応じて手動により調整情報Ｆ３，オプション構成情報Ｆ４の設定情報ＦＢを入力する設定操作を行うこととなる。
【００５０】
以上のように、本実施形態によれば、設定情報Ｆのバックアップ時に、当該設定情報Ｆをオプション構成に依存しない設定情報ＦＡと依存する設定情報ＦＢとに分類して外部記憶装置４０又はＰＣ３０に保存させ、バックアップを行う。
これにより、オプション構成に応じて、設定情報ＦＡと設定情報ＦＢを別個にリストアすることが可能となる。
【００５１】
また、分類された設定情報ＦＡ、ＦＢのリストア時には、画像処理装置１０の機種、オプション構成を判断したうえで、設定情報ＦＡについては機種が対応すれば書き込む。また、オプション構成に依存しない設定情報ＦＢについては、オプション構成が対応すれば書き込み、対応しなければ初期設定の設定情報ＦＢを書き込んでリストアを行う。
これにより、バックアップ元とリストア先の画像処理装置１０のオプション構成が対応するものであれば、自動的に設定情報ＦＢが書き込まれることとなり、ユーザが逐一設定情報ＦＢを入力設定する作業を省略することができる。従って、バックアップ元の画像処理装置１０における設定情報ＦＢを容易にリストア先の画像処理装置１０に反映させることができ、使い勝手が向上するとともに、そのような反映に係るメンテナンス作業も容易となる。
【００５２】
さらに、オプション構成が対応しない場合には設定情報ＦＢではなく、初期設定情報を書き込むので、オプション構成が一致せず、不適切な内容の設定情報ＦＢをリストアすることを防止することができる。従って、オプション構成に応じた設定情報のリストアを行うことが可能となる。また、初期設定情報をリストアするのでユーザが最初から設定情報ＦＢを入力する必要がなく、メンテナンスに係る労力を最小限に抑えることができる。
【００５３】
なお、上記実施形態は本発明を適用した好適な一例であってこれに限定されるものではない。
上記説明では、設定情報Ｆのバックアップを行うため、外部記憶装置４０又はＰＣ３０に設定情報Ｆを転送することとしていたが、バックアップ用の保存先としては特にこれらに限定しない。例えば、ネットワーク上のメンテナンス用のサーバに転送する等、他の外部装置に転送し、リストア時にこの外部装置から設定情報Ｆを取得するようにしてもよい。
【００５４】
さらに、バックアップ用の外部装置を用いずに、２つの画像処理装置１０間で直接設定情報Ｆのやりとりを行うこととしてもよい。例えば、一方の画像処理装置１０においてバックアップ処理を実行して他方の画像処理装置１０のＲＡＭに設定情報Ｆを書き込み、他方の画像処理装置１０ではリストア処理を実行してＲＡＭ内に書き込まれた設定情報Ｆを不揮発メモリ１１２に書き込む。この場合、外部装置を必要としないのでコストがかからないうえ、画像処理装置１０でのみ操作を行えばよいので、より操作が容易となる。
【図面の簡単な説明】
【００５５】
【図１】本実施形態におけるメンテナンスシステムのシステム構成を示す図である。
【図２】図１の画像処理装置の内部構成を示す図である。
【図３】図２の不揮発メモリ内の設定情報例を示す図である。
【図４】図１のＰＣの内部構成を示す図である。
【図５】画像処理装置によって実行されるバックアップ処理を説明するフローチャートである。
【図６】オプション構成に依存するか否かにより分類された設定情報例を示す図である。
【図７】バックアップ処理に際して表示される操作画面例を示す図である。
【図８】画像処理装置によって実行されるリストア処理を説明するフローチャートである。
【図９】リストア処理に際して表示される操作画面例を示す図である。
【符号の説明】
【００５６】
１００  メンテナンスシステム
１０  画像処理装置
１１１  制御部
１１２  不揮発メモリ
１１７  Ｉ／Ｆ
１７  通信部
２０ａ  ＡＤＦ
２０ｂ  フィニッシャ
２０ｃ  給紙ユニット
３０  ＰＣ
４０  外部記憶装置
【図１】
2008109574.tif 000003
【図２】
2008109574.tif 000004
【図３】
2008109574.tif 000005
【図４】
2008109574.tif 000006
【図５】
2008109574.tif 000007
【図６】
2008109574.tif 000008
【図７】
2008109574.tif 000009
【図８】
2008109574.tif 000010
【図９】
2008109574.tif 000011